(57)【要約】【課題】ワークに沿って前進移動させながら粘着テープを貼付けローラによってテープ貼付け面に押圧して貼付けてゆく粘着テープ貼付け装置において、粘着テープから剥離されたセパレータに邪魔されることなく円滑に粘着テープ貼付けを行うことができるるとともに、粘着テープのセッティングを容易に行えるようにする。【解決手段】テープ供給ローラ１２に対向して配備したセパレータガイド１６に、テープ供給ローラ１２のテープ巻回部位において粘着テープから剥離したセパレータをテープ貼付け移動方向とは異なる方向に案内するセパレータ案内面１７を形成するとともに、セパレータガイド１６を、テープ供給ローラ１２に対向するセパレータ案内作用姿勢（ａ）と、テープ供給ローラ１２から大きく離間した開放姿勢（ｂ）とに切換え可能に構成する。【選択図】図１
2007126115.tif 000002
【特許請求の範囲】
【請求項１】
ワークに沿って前進移動させながら粘着テープを貼付けローラに供給し、この粘着テープをワークのテープ貼付け面に押圧して貼付けてゆく粘着テープ貼付け装置であって、
前記ワークのテープ貼付け面に沿って移動操作される本体に、前記テープ貼付け面と異なったワーク外面に係合してワークに対する前記本体の位置決めおよび姿勢保持を行うガイド部材と、
前記粘着テープをワークの前記テープ貼付け面に押圧して貼り付ける弾性変形可能な貼付けローラと、
供給された粘着テープを巻回案内して貼付けローラに導く記テープ供給ローラと、
前記テープ供給ローラに対向して配備されたセパレータガイドと、
テープ供給ローラに送り込まれる粘着テープの離脱を防止するのテープガイドとを備え、
前記セパレータガイドに、テープ供給ローラのテープ巻回部位において粘着テープから剥離されたセパレータをテープ貼付け移動方向とは異なる方向に案内するセパレータ案内面を形成するとともに、セパレータガイドを、テープ供給ローラに対向するセパレータ案内作用姿勢と、テープ供給ローラから大きく離間した開放姿勢とに切換え可能に構成した
ことを特徴とする粘着テープ貼付け装置。
【請求項２】
請求項１に記載の粘着テープ貼付け装置において、
前記セパレータガイドは、テープ貼付け移動方向に沿った前後向き支点周りに回動自在に支持されている
ことを特徴とする粘着テープ貼付け装置。
【請求項３】
請求項１または請求項２に記載の粘着テープ貼付け装置において、
前記セパレータ案内作用姿勢の前記セパレータガイドを安定保持して、前記開放姿勢への切換えに操作抵抗をもたらす姿勢保持手段を備えた
ことを特徴とする粘着テープ貼付け装置。
【請求項４】
請求項３に記載の粘着テープ貼付け装置において、
前記開放姿勢の前記セパレータガイドを安定保持して、前記セパレータ案内作用姿への切換えに操作抵抗をもたらす姿勢保持手段を備えた
ことを特徴とする粘着テープ貼付け装置。
【請求項５】
請求項３または請求項４に記載の粘着テープ貼付け装置において、
前記姿勢保持手段を、弾性後退可能なボールを係合穴に弾性係合させるデテント機構で構成した
ことを特徴とする粘着テープ貼付け装置。
【請求項６】
請求項１ないし請求項５のいずれかに記載の粘着テープ貼付け装置おいて、
前記セパレータガイドを前記セパレータ案内作用姿勢に位置決めする当接手段を備えた
ことを特徴とする粘着テープ貼付け装置。
【発明の詳細な説明】
【技術分野】
【０００１】
この発明は、自動車におけるドアサッシュなどの屈曲したワークに粘着テープを貼り付け処理する場合などに利用する粘着テープ貼付け装置に関する。
【背景技術】
【０００２】
近年、自動車の製造工程においては、ドアサッシュへの黒色塗装処理に代えて黒色の粘着テープを貼付ける技術が開発されている。例えば、手持ちした粘着テープ貼付け装置をワークに沿って案内移動させながら、セパレータの剥離された粘着テープを貼付けローラでテープ貼付け面に弾性押圧して貼り付けてゆく粘着テープ貼付け装置（粘着テープ貼付け治具）が提案されている（例えば、特許文献１参照）。
【０００３】
この粘着テープ貼付け装置（粘着テープ貼付け治具）は、その基部に、ワークのテープ貼付け面である底面における前後および左右に係合される４個の底部ガイドローラと、ワークの左右両側面の前後２箇所に係合される４個の側部ガイドローラとを装備している。また、基部に枢着連結された押圧レバーにワークの上面に弾性押圧される単一の押圧ローラを装着し、底部ガイドローラ群と押圧ローラとでワークを上下に挟持して粘着テープ貼付け装置のワークに対する姿勢を保持している。さらに、側部ガイドローラをワークの左右から係合させることで粘着テープ貼付け装置のワークに対する左右方向での位置決めを行っている。
【０００４】
このようにローラ群による係合案内によって姿勢および位置決めした粘着テープ貼付け装置をワークＦに沿って移動させながら、基部の後部に配備した弾性ローラで粘着テープをワークの底面に弾性押圧して貼付けてゆくように構成されている。また、供給される粘着テープは、弾性ローラの手前で屈曲案内されることでそのセパレータが剥離され、基部と摺動板との間に形成された間隙を通して貼付け移動方向前方へ送り出されるように構成されている。
【特許文献１】特開２００１−１１５１１７号公報
【発明の開示】
【発明が解決しようとする課題】
【０００５】
すなわち、提案された上記粘着テープ貼付け装置においては、剥離されたセパレータが粘着テープ貼付け装置の貼付け移動方向前方に向けて排出されるものであるために、ワークにおける横長箇所の底面に貼付け処理を行う場合には、剥離したセパレータは粘着テープ貼付け装置の進行方向前部に移動しても自重で下方に垂れ下がって前方移動の妨げになることはない。しかし、ワークにおける縦向き箇所への貼付け処理を行う場合に、粘着テープ貼付け装置の進行方向前部に移動したセパレータが前進移動の邪魔になることがあり、そのセパレータを払い退ける操作のために粘着テープ貼付け操作への注意が散漫になったり、貼付け移動速度が低下して仕上がりの低下を招いたりするおそれがある。
【０００６】
この発明は、このような事情に鑑みてなされたものであって、剥離されたセパレータに邪魔されることなく円滑に粘着テープ貼付けを行うことができるとともに、粘着テープのセッティングを容易に行うことができる粘着テープ貼付け装置を提供することを主たる目的とする。
【課題を解決するための手段】
【０００７】
そこで、この発明は、上記目的を達成するために次のような構成をとる。
すなわち、第１の発明は、ワークに沿って前進移動させながら粘着テープを貼付けローラに供給し、この粘着テープをワークのテープ貼付け面に押圧して貼付けてゆく粘着テープ貼付け装置であって、
前記ワークのテープ貼付け面に沿って移動操作される本体に、前記テープ貼付け面と異なったワーク外面に係合してワークに対する前記本体の位置決めおよび姿勢保持を行うガイド部材と、
前記粘着テープをワークの前記テープ貼付け面に押圧して貼り付ける弾性変形可能な貼付けローラと、
供給された粘着テープを巻回案内して貼付けローラに導く記テープ供給ローラと、
前記テープ供給ローラに対向して配備されたセパレータガイドと、
テープ供給ローラに送り込まれる粘着テープの離脱を防止するのテープガイドとを備え、
前記セパレータガイドに、テープ供給ローラのテープ巻回部位において粘着テープから剥離されたセパレータをテープ貼付け移動方向とは異なる方向に案内するセパレータ案内面を形成するとともに、セパレータガイドを、テープ供給ローラに対向するセパレータ案内作用姿勢と、テープ供給ローラから大きく離間した開放姿勢とに切換え可能に構成したことを特徴とする。
【０００８】
（作用・効果）  上記構成によると、ガイド部材によって位置および姿勢が確保された状態の粘着テープ貼付け装置をワークに沿って移動させることで、テープ供給ローラを介して粘着テープが貼付けローラに案内供給され、貼付けローラによって押圧された粘着テープがワークのテープ貼付け面に連続して貼り付けられてゆく。また、粘着テープがテープ供給ローラへの巻回によって方向転換されて貼付けローラに導かれるのに対して、セパレータは方向転換されることなくテープ巻回部位において剥離されてセパレータガイドに向けて移動し、そのセパレータ案内面に案内されてテープ貼付けの邪魔にならない方向に放出されてゆく。
【０００９】
また、貼付け作業の当初において、粘着テープをテープガイドを経由してテープ供給ローラおよび貼付けローラに導くことになるが、この場合、テープ供給ローラに近接して対向するセパレータガイドを開放姿勢に切換えておくことで、粘着テープの巻き掛けセッティングおよびセパレータの剥離操作を広い空間で容易に行うことができる。
【００１０】
第２の発明は、上記第１の発明において、
前記セパレータガイドは、テープ貼付け移動方向に沿った前後向き支点周りに回動自在に支持されていることを特徴とする。
【００１１】
（作用・効果）  この記構成によると、開放姿勢に切換え揺動されたセパレータガイドは粘着テープ貼付け装置の横外方に大きく離れることになり、テープ供給ローラの前方および横外側方が大きく開放される。したがって、粘着テープの巻き掛けセッティングおよびセパレータの剥離操作を広い空間で容易に行うことができる。
【００１２】
第３の発明は、上記第１または第２の発明において、
前記セパレータ案内作用姿勢の前記セパレータガイドを安定保持して、前記開放姿勢への切換えに操作抵抗をもたらす姿勢保持手段を備えたことを特徴とする。
【００１３】
（作用・効果）  上記構成によると、セパレータ案内作用姿勢にあるセパレータガイドは不用意に開放側に移動することがなく、貼付け操作中は所望のセパレータ案内作用を的確に発揮する。
【００１４】
第４の発明は、上記第３の発明において、
前記開放姿勢の前記セパレータガイドを安定保持して、前記セパレータ案内作用姿への切換えに操作抵抗をもたらす姿勢保持手段を備えたことを特徴とする。
【００１５】
（作用・効果）  上記構成によると、開放姿勢にあるパレータガイドは不用意にテープ供給ローラに接近移動することがなく、粘着テープのセッティング操作の邪魔になることがない。
【００１６】
第５の発明は、上記第３または第４の発明において、
前記姿勢保持手段を、弾性後退可能なボールを係合穴に弾性係合させるデテント機構で構成したことを特徴とする。
【００１７】
（作用・効果）  上記構成によれば、セパレータ案内作用姿勢あるいは開放姿勢にあるパレータガイドは、多少の外力では動くことなくその姿勢に安定保持される。つまり、セパレータガイドに設定以上の操作力をかけると、ボールの弾性後退によって姿勢保持機能が解除されてセパレータガイドを所望の方向に移動させることができる。この場合、後退移動したボールは相手部材の表面を点接触で移動するので、セパレータガイドを軽く移動させることができる。
【００１８】
第６の発明は、上記第１ないし第５のいずれかの発明において、
前記セパレータガイドを前記セパレータ案内作用姿勢に位置決めする当接手段を備えたことを特徴とする。
【００１９】
（作用・効果）  この構成によれば、開放姿勢のセパレータガイドを動けなくまで無造作に復帰移動させるだけで所定のセパレータ案内作用姿勢に正しく位置決めすることができ、粘着テープのセッティング後のセパレータガイド復帰操作を速やかに行うことができ、取扱い性に優れたものとなる。
【発明の効果】
【００２０】
この粘着テープ貼付け装置によると、セパレータガイドを導入することで、剥離されたセパレータに邪魔されることなく円滑に粘着テープ貼付けを行うことができるとともに、セパレータガイドを姿勢切換え可能に構成することで粘着テープのセッティングを容易に行うことができる。
【発明を実施するための最良の形態】
【００２１】
以下、図面を参照して本発明の一実施例を説明する。
【００２２】
図１は本発明に係る粘着テープ貼付け装置ＡをワークＷに装着した状態の斜視図、図２はその正面図、図３はその横断平面図、図４および図５は粘着テープ貼付け装置の側面図、図６は粘着テープ貼付け装置Ａの分解した斜視図がそれぞれ示されている。
【００２３】
なお、この実施例の前記ワークＷは自動車におけるドアサッシュであり、その車内側の内周面に黒色塗装に代えて黒色の粘着テープを貼り付けるものである。
【００２４】
ワークＷは、１枚の鋼板をプレス重合して構成されたものであり、ドア外面となる横外側に縦壁状の外枠部ｗ1を有するとともに、この外枠部ｗ1からドア内側（図５では左側）へ向けて張り出す中空の横向き枠部ｗ2を連設した断面形状に形成されている。そして、横向き枠部ｗ2の中空部位と外枠部ｗ1との間に窓ガラス装着溝ｍ1が形成されるとともに、横向き枠部ｗ2の上面の左右中間部位にはワーク長手方向に沿ってリブｗ3が突設され、このリブと外枠部ｗ1との間にウエザーストリップ装着溝ｍ2が形成されている。そして、前記外枠部ｗ1の外側面がテープ貼付け面Ｓとなっており、ここの部分に、本発明の粘着テープ貼付け装置Ａを用いて粘着テープＴが手作業で貼り付けられるのである。なお、粘着テープＴはテープ貼付け面Ｓの幅よりも広幅のセパレータ付きのものが利用される。
【００２５】
粘着テープ貼付け装置Ａは、ワークＷに係合案内されながらワーク長手方向に沿って手押し移動して粘着テープＴを貼り付けてゆくものであり、以後の説明においては、便宜上、粘着テープ貼付け装置Ａを貼付け移動させてゆく方向Ｆを前方、テープ貼付け方向と直交するドア内外方向を横方向あるいは左右方向と呼称する。
【００２６】
粘着テープ貼付け装置Ａの本体１は硬質樹脂材で形成されており、角ブロック状の第１ブラケット１Ａ、この第１ブラケット１Ａの一端に直交して下向きに突出するようボルト連結された第２ブラケット１Ｂ、第１ブラケット１Ａの他端部に左右に位置調節可能にボルト連結されたＬ形の第３ブラケット１Ｃ、第３ブラケット１Ｃの内側面に前後に位置調節可能にボルト連結された前後に長い角棒状の第４ブラケット１Ｄ、および、第４ブラケット１Ｄの下面に左右に位置調節可能にボルト連結された支持板１Ｅから構成されている。
【００２７】
第１ブラケット１Ａの下面における一端寄り箇所には、縦軸心周りに遊転自在な前後一対の貼付けローラ２が下向き片持ち状に装着されるとともに、第４ブラケット１Ｃにおける前端側の内側面にはガイド部材として単一のガイドローラ３が横軸心周りに遊転自在に装着されている。また、第４ブラケット１Ｃの下面に沿って連結された支持板１Ｅには、別のガイド部材として前後一対のガイドローラ４が遊転自在に装着されている。
【００２８】
ガイドローラ３は滑性に優れた硬質の樹脂材で形成されており、ワークＷにおけるウエザーストリップ装着溝ｍ2の底面まで係入されて横向き枠部ｗ2の上面に係合されるよう先細りテーパー状に形成されている。また、ガイドブローラ４も滑性に優れた硬質の樹脂材で形成されており、リブｗ3の凸曲外側面に係合される。このように、ガイドローラ３、４が横向き枠部ｗ2の複数箇所において上方および横側方から係合することでワークＷに対する粘着テープ貼付け装置Ａの姿勢および位置が安定保持される。
【００２９】
なお、第４ブラケット１Ｄを前後に位置調節することでガイドローラ３，４の前後方向位置を変更調節することができるとともに、第４ブラケット１Ｄの内側面に設けられた前後複数のネジ孔５を選択してガイドローラ３の支軸６をねじ込み装着することでもガイドローラ３の前後方向位置を変更調節することができるようになっている。また、支持板１Ｅを左右に位置調節することでガイドローラ４の左右方向位置を変更調節することができるとともに、支持板１Ｅに設けられた前後複数のネジ孔７を選択してガイドローラ４の支軸８をねじ込み装着することで、ガイドローラ４の前後方向位置を変更調節することができるようになっている。
【００３０】
貼付けローラ２は、固定芯軸９に遊転自在に外嵌された筒軸１０にスポンジ状の弾性層１１を被覆して構成されたものであり、ガイドローラ３，４がワークＷに対して所定の位置および姿勢に係合された状態で、貼付けローラ２がワークＷのテープ貼付け面Ｓに適度に弾性変形しながら押圧されるようになっている。
【００３１】
第２ブラケット１Ｂの前後には、貼付けローラ２と平行に対向するように一対のテープ供給ローラ１２が縦軸心周りに遊転自在に軸支されている。このテープ供給ローラ１２は滑性に優れた硬質の樹脂材で形成されており、固定支軸１３に遊嵌支持されている。
【００３２】
また、第２ブラケット１Ｂの外側面に硬質樹脂材からなる板状のテープガイド１４が取り付けられている。このテープガイド１４と第２ブラケット１Ｂの外面との間には、図２に示すように、前後および上方に開放されたテープ挿通間隙ｃが形成されるとともに、テープ挿通間隙ｃの底端がテープ位置決め部１５に形成されており、テープ挿通間隙ｃに挿通された粘着テープＴの一側縁がテープ位置決め部１５に受止め支持されることで粘着テープＴの幅方向での位置決めが行われるようになっている。なお、テープガイド１５は上下方向、つまり、テープ幅方向に位置調節可能に取り付けられている。
【００３３】
また、テープガイド１４の前端面には硬質樹脂材からなるセパレータガイド１６が取り付けられている。このセパレータガイド１６は、図１および図４に示すように、前側のテープ供給ローラ１２の前方位置においてテープ供給ローラ１２に小間隔をもって対向して配備されるとともにテープ供給ローラ１２より少し低く配設されており、その後向き面にはテープ供給ローラ１２に対向して凹入湾曲するセパレータ案内面１７が形成されている。
【００３４】
セパレータガイド１６は、図１から図３に示すように、テープガイド１４の前面に支点軸１８を介して前後向きの支点ｘ周りに揺動可能に枢着されており、起立揺動されてテープ供給ローラ１２に近接対向するセパレータ案内作用姿勢（ａ）と、横外方に倒伏揺動されてテープ供給ローラ１２から大きくはなされた開放姿勢（ｂ）とに切換え可能となっている。
【００３５】
セパレータガイド１６とテープガイト１４との対向部位には、セパレータガイド１６をセパレータ案内作用姿勢（ａ）と開放姿勢（ｂ）とに安定保持する手段としてデテント機構２０が装備されている。このデテント機構２０は、図２および図６に示すように、支点ｘ周りに９０度の位相をもってセパレータガイド１６に装着された２組のボール２１と、テープガイト１４の前端面に形成された単一の係合凹部２２とから構成されている。つまり、セパレータガイド１６がセパレータ案内作用姿勢（ａ）にある時には一方のボール２１が係合凹部２２に係合され、セパレータガイド１６が開放姿勢（ｂ）にある時には他方のボール２１が係合凹部２２に係合されて、各姿勢が安定保持される。
【００３６】
セパレータ案内作用姿勢（ａ）あるいは開放姿勢（ｂ）にあるセパレータガイド１６にデテント機構２０の保持力以上の揺動操作力をかけると、係合状態にあるボール２１が弾性後退されながらテープガイト１４の前端面に乗り上げられ、その後は軽い操作力でセパレータガイド１６を揺動させることができる。そして、所定の姿勢位置に至るとバネ付勢されたボール２１が係合凹部２２に落込み係合してその姿勢に安定保持される。
【００３７】
なお、セパレータガイド１６をセパレータ案内作用姿勢（ａ）まで起立揺動させると、図４および図６に示すように、セパレータガイド１６の側端に連設した突片２３がテープガイドの外側面に当接してセパレータ案内作用姿勢（ａ）での位置決めがなされるようになっている。
【００３８】
本発明に係る粘着テープ貼付け装置Ａは以上のように構成されている。次に、上記実施例装置Ａを用いて粘着テープＴをワークＷに貼付ける行程について説明する。
【００３９】
先ず、作業者は、ガイドローラ３，４を用いて粘着テープ貼付け装置ＡをワークＷの貼付け開始位置に装着する。
【００４０】
次に、セパレータ付きの粘着テープＴをそのセパレータｓｔが横外側になる縦向き姿勢でテープ挿通間隙ｃに挿通した後、粘着テープＴの先端からセパレータｓｔを剥がして粘着面を露出させ、粘着面を露出させた粘着テープＴをテープ供給ローラ１２で巻回案内し、ワークＷにおける貼付け面Ｓの所定位置に貼付ける。この場合、セパレータガイド１６を横外方に揺動して開放姿勢（ｂ）に保持して、テープ供給ローラ１２の前方を大きく開けて作業しやすくしておく。
【００４１】
次に、セパレータガイド１６を起立揺動させて、テープ供給ローラ１２に近接対向するセパレータ案内作用姿勢（ａ）に戻すとともに、粘着テープＴから剥離したセパレータｓｔをセパレータガイド１６のセパレータ案内面１７で案内して後方に導き、これで粘着テープのセッティングが完了する。
【００４２】
その後、粘着面の露出した粘着テープＴを貼付けローラ４で巻回して貼付け面Ｓに弾性的に押し付け、この状態で粘着テープ貼付け装置ＡをワークＷに沿って前方Ｆに手押し移動させることで、粘着テープＴを幅方向に位置決めしながらテープ貼付け面Ｓに連続的に貼付けてゆくことができる。
【００４３】
この場合、粘着テープ貼付け装置Ａを前方Ｆに移動させると、粘着テープＴが相対的に前方Ｆに移動することでセパレータｓｔはセパレータガイド１６のセパレータ案内面１７で反転案内されて貼付けローラ２から離れる方向に送り出されてゆくことになる。従って、剥離されたセパレータｓｔが粘着テープＴに巻き込まれてテープ貼付け面Ｓに近づいたり、粘着テープ貼付け装置Ａの前進移動の邪魔になったりするようなことが回避される。
【００４４】
なお、テープ貼付け面Ｓからはみ出されたテープ部分は、後行程において外枠部ｗ1の上下端部に巻き込んで貼付けられ、塗装処理したものと変わらぬ外観をもたらす。
【００４５】
また、異なった仕様のワークＷに対しては必要に応じてガイドローラ３，４の左右位置および前後位置を調節することができ、また、粘着テープＴの幅変更に対応してテープガイド１４およびセパレータガイド１６を上下に位置調節する。
【００４６】
この発明は、上記実施形態に限られることはなく、下記のような形態で実施することもできる。
【００４７】
（１）上記実施例では、テープガイド１４に単一の係合穴を形成するとともに、この係合穴に弾性係合される２組のボール２１をセパレータガイド１６に装備しているが、逆に、テープガイド１４に単一のボール２１を装備し、このボール２１が係合する一対の係合穴２２をセパレータガイド１６に設けて姿勢保持用のデテント機構２０を構成することもできる。
【００４８】
（２）図７に示すように、セパレータガイド１６を支点軸１８に対して前後にスライド自在、かつ、支点軸１８に外嵌装着した圧縮コイルバネ２５によってテープガイド１４側に押し付け付勢するとともに、テープガイド１４とセパレータガイド１６との対向摺接面に単一の係合突起２６と一対の係合凹部２７をそれぞれ形成し、係合突起２６が係合凹部２７のいずれかに選択係合されることでセパレータガイド１６がセパレータ案内姿勢（ａ）あるいは開放姿勢（ｂ）にそれぞれ安定保持されるデテント構造を利用することもできる。この場合、セパレータガイド１６を圧縮コイルバネ２５に抗して前方に少し引き出し移動させて係合突起２６と係合凹部２７とを離脱させてからセパレータガイド１６を支点ｘ周りに揺動操作する２アクション操作となる。
【００４９】
なお、係合突起２６の頭部を半球状に形成しておくと、セパレータガイド１６を揺動操作するだけで、係合突起２６と係合凹部２７との乗り上がり作用でセパレータガイド１６が圧縮コイルバネ２５に抗して前方にスライド変位されることになり、先の実施例と同様に、１アクション操作でセパレータガイド１６の姿勢切換えを行うことができる。
【００５０】
（３）セパレータガイド１６をセパレータ案内姿勢と開放姿勢に移動させる形態としては、上記のように前後向きの支点ｘ周りに揺動させる形態の他に、例えば、図８に示すように、セパレータガイド１６を左右向きの支点ｙ周りに上下揺動自在に支点軸１８を介してテープガイド１４に枢支連結する。そして、セパレータガイド１６を振り上げ揺動してテープガイド１４の前面に当接させたセパレータ案内作用姿勢（ａ）において、テープガイド１４の前面に埋設した磁石片２８でセパレータガイド１６の後面に埋設した鉄片２９を吸着させることで姿勢保持を行うこともできる。なお、磁石片２８の吸着力に打ち勝ってセパレータガイド１６を振り下げ揺動すると、セパレータガイド１６はその基部がテープガイド１４の一部に当接して開放姿勢に保持されることになる。
【００５１】
（４）セパレータガイド１６をセパレータ案内作用姿勢（ａ）と開放姿勢（ｂ）との間で揺動可能に支持する構造において、その揺動支点にバネ座金やゴム付き座金などの弾性摩擦材を装備して、セパレータガイド１６の揺動操作に適度の抵抗をもたらすように構成して、セパレータガイド１６をセパレータ案内作用姿勢および開放姿勢にそれぞれ摩擦保持することもできる。
【００５２】
（５）図示しないが、セパレータガイド１６をテープガイド１４に対して案内溝、ガイレール、あるいは、ガイド軸、などの直線ガイド機構を利用して前後方向、あるいは左右方向、もしくは、上下方向にスライド移動可能に嵌合支持し、セパレータガイド１６がテープガイド１４に当接するスライド限界においてセパレータ案内作用姿勢（ａ）となり、テープガイド１４から離れる方向の引き出しスライド限界において開放姿勢（ｂ）となる形態で実施することもできる。
【００５３】
（６）本発明は、図９ないし図１２に示すように、ワークＷにおける横向き枠部ｗ2の下面に粘着テープＴを張り付ける仕様の粘着テープ貼付け装置Ａに適用することもできる。なお、この例では、粘着テープ貼付け装置Ａのワークに対する位置および姿勢を保持する２種のガイド部材として、ウエザーストリップ装着溝ｍ2に係合する単一のガイドローラ３と、横向き枠部ｗ2の上面に前後２箇所で摺接するガイドブロック４が用いられ、それぞれが第１ブラケット１Ａに前後向きの支点ｚ周りに揺動自在かつ下向きに揺動付勢された第３ブラケット１Ｃに装着されている。
【００５４】
（７）上記実施例装置は、図１３および図１４に示すように粘着テープＴの幅方向をテープ位置決め部１５と協働して挟み込むように、テープ位置決め部１５と対向する位置に粘着テープの走行案内用のテープガイド３０を設けてもよい。このテープガイド３０は、プレート状のものであって、第２ブラケット１Ｂの外側面に取り付け固定されている。
【００５５】
このテープガイド３０の取り付け位置としては、図１５に示す装置裏面から正面視したとき、テープガイド１４のテープ供給方向の前側端部から所定距離Ｌをおいている。この所定距離Ｌとしては、３ｍｍ以上であることが好ましい。つまり、この所定距離Ｌをおいて配備することによって、テープ装置時にテープガイド１４への粘着テープＴの装着を妨げない。
【００５６】
また、テープガイド３０の厚みＨは、粘着テープＴの厚みよりも厚く設定される。本実施例では、２ｍｍ以下に設定されている。さらに、粘着テープＴの端縁との対向部分Ｗは、その幅が５ｍｍ以下であることが好ましい。幅が５ｍｍ以下であれば、急な屈曲部分に粘着テープＴを貼り付けるとき、テープガイド３０に沿って走行する粘着テープＴをガイドから容易に開放し、粘着テープＴの後方部分をフリー状態にすることができる。すなわち、粘着テープＴの取り扱いが容易となる。
【００５７】
なお、走行案内用のテープガイド３０は、粘着テープＴの幅に応じて設定変更されるよう取り付けられる。
【００５８】
また、図１５の破線で示すように、テープガイド１４に粘着テープＴを供給する上流側のみにテープガイド３０ａを設ける構成にしてもよい。
【００５９】
さらに、上記別仕様（６）の粘着テープ貼付け装置に、同様のテープガイド３０を設ける構成としてもよい。この構成の場合、図１６に示すように、テープガイド３０は、第２ブラケット１Ｂの外側面に取り付け固定されている。具体的な取り付け位置としては、図１７に示す装置裏面から正面視したとき、テープガイド１４のテープ供給方向の前側端部から所定距離Ｌを３ｍｍ以上、図１８に示す厚みＨを粘着テープＴの厚み以上で２ｍｍ以下、対向部分Ｄを５ｍｍ以下の位置に設ければよい。
【００６０】
（８）上記実施例では、テープガイド１４から導き出される粘着テープＴを、テープ供給ローラ１２を介して貼付けローラ２に巻回案内していたが、次のように構成してもよい。すなわち、図１９および図２０に示すように、テープ供給ローラ１２を省き、この装置の進行方向の前側に備わった貼付けローラ２ａの直径を、後側の貼付けローラ２ｂの直径よりも大きく設定し、テープ供給ローラ１２の機能を兼ね備えた構成とする。
【００６１】
この構成によれば、テープガイド１４から貼付けローラ２ａに粘着テープＴが導かれる間、テープ供給ローラ１２が存在しないので、その粘着テープＴは、テープ供給ローラ１２と貼付けローラ２との回転誤差による弛みなどの影響を受けない。すなわち、テープガイド１４から貼付けローラ２ａまでの間での粘着テープＴへのテンションのかかり具合を一定に保つことができる。その結果、ワークＷに粘着テープＴを安定して貼付けることができる。また、テープガイド１４から貼付けローラ２ａまでの走行距離を短くすることができるので、セパレータ剥離後の粘着テープＴへの粉塵などの付着を抑制することができる。
【００６２】
なお、テープ供給ローラ１２の備わった上記実施理装置の前側の貼付けローラ２の直径を、後側の貼付けローラ２の直径よりも大きく設定してもよい。
【００６３】
また、図２１および図２２に示すように、別仕様の粘着テープ貼付け装置のテープ供給ローラ１２を残したまま、あるいは省いた構成において、テープ貼付け方向前側の貼付けローラ２ａの直径を、後側の貼付けローラ２よりも大きく設定する構成にしてもよい。
【００６４】
（９）上記実施例において、図２３に示すように、ワークＷの突設したリブｗ3から横向き枠部ｗ2にかけて下り傾斜のワーク平面を転動するガイドローラ３１を備える構成にしてもよい。この構成によれば、装置本体の外方に力が作用しても、ガイドローラ３１によって支持され、装置本体の倒れ込みが抑制される。すなわち、粘着テープの貼付け過程において、装置本体のふらつきが抑えられ、ワークＷに粘着テープＴを安定した状態で貼り付けることができる。
【図面の簡単な説明】
【００６５】
【図１】ワークに装着された粘着テープ貼付け装置の斜視図である。
【図２】ワークに装着された粘着テープ貼付け装置の一部切欠き正面図である。
【図３】ワークに装着された粘着テープ貼付け装置の横断平面図である。
【図４】粘着テープ貼付け装置の側面図である。
【図５】粘着テープ貼付け装置の他方から見た一部切欠き側面図である。
【図６】粘着テープ貼付け装置の分解した斜視図である。
【図７】姿勢保持手段の別実施例を示す要部の一部切欠き側面図である。
【図８】姿勢保持手段の更に別実施例を示す要部の一部切欠き側面図である。
【図９】別仕様に構成された粘着テープ貼付け装置に適用した実施例の斜視図である。
【図１０】別仕様に構成された粘着テープ貼付け装置に適用した実施例の正面図である。
【図１１】別仕様に構成された粘着テープ貼付け装置の斜視図である。
【図１２】別仕様に構成された粘着テープ貼付け装置の別方向から見た斜視図である。
【図１３】別仕様に構成された粘着テープ貼付け装置の斜視図である。
【図１４】別仕様に構成された粘着テープ貼付け装置の一部切欠き正面図である。
【図１５】別仕様に構成された粘着テープ貼付け装置の側面図である。
【図１６】別仕様に構成された粘着テープ貼付け装置の斜視図である。
【図１７】別仕様に構成された粘着テープ貼付け装置の底面図である。
【図１８】別仕様に構成された粘着テープ貼付け装置の正面図である。
【図１９】別仕様に構成された粘着テープ貼付け装置の一部切欠き正面図である。
【図２０】別仕様に構成された粘着テープ貼付け装置の横断平面図である。
【図２１】別仕様に構成された粘着テープ貼付け装置の正面図である。
【図２２】別仕様に構成された粘着テープ貼付け装置の横断平面図である。
【図２３】別仕様に構成された粘着テープ貼付け装置の一部切欠き正面図である。
【符号の説明】
【００６６】
１  …  本体
２  …  貼付けローラ
３  …  ガイド部材（ガイドローラ）
４  …  ガイド部材（ガイドローラ，ガイドブロック）
１２  …  テープ供給ローラ
１４  …  テープガイド
１６  …  セパレータガイド
１７  …  セパレータ案内面
２０  …  デテント機構
２１  …  ボール
２２  …  係合凹部
Ｗ  …  ワーク
Ｔ  …  粘着テープ
Ｓ  …  貼付け面
ｓｔ  …  セパレータ
（ａ）…  セパレータ案内作用姿勢
（ｂ）…  開放姿勢
ｘ  …  支点
【図１】
2007126115.tif 000003
【図２】
2007126115.tif 000004
【図３】
2007126115.tif 000005
【図４】
2007126115.tif 000006
【図５】
2007126115.tif 000007
【図６】
2007126115.tif 000008
【図７】
2007126115.tif 000009
【図８】
2007126115.tif 000010
【図９】
2007126115.tif 000011
【図１０】
2007126115.tif 000012
【図１１】
2007126115.tif 000013
【図１２】
2007126115.tif 000014
【図１３】
2007126115.tif 000015
【図１４】
2007126115.tif 000016
【図１５】
2007126115.tif 000017
【図１６】
2007126115.tif 000018
【図１７】
2007126115.tif 000019
【図１８】
2007126115.tif 000020
【図１９】
2007126115.tif 000021
【図２０】
2007126115.tif 000022
【図２１】
2007126115.tif 000023
【図２２】
2007126115.tif 000024
【図２３】
2007126115.tif 000025